(57)【要約】【課題】この発明は、情報記録媒体の残容量が予め設定された容量に達する日時を表示することにより、ユーザに残容量不足に対処するための十分な時間的余裕を与えることができ、ユーザにとっての取り扱いを便利にし得るようにした情報記録装置及び情報記録方法を提供することを目的としている。【解決手段】情報記録媒体２００２の残容量と設定された記録予約情報に基づいて情報記録媒体２００２で消費される容量とに基づいて、情報記録媒体２００２の残容量が所定量に達する予定の日時を算出して通知する。【選択図】      図１
2007124547.tif 000002
【特許請求の範囲】
【請求項１】
情報記録媒体の残容量を算出する残量算出手段と、
設定された記録予約情報に基づいて前記情報記録媒体で消費される容量を算出する消費容量算出手段と、
前記残量算出手段で算出された残容量と前記消費容量算出手段で算出された消費容量とに基づいて、前記情報記録媒体の残容量が所定量に達する予定の日時を算出する日時算出手段と、
前記日時算出手段で算出された日時を通知する通知手段とを具備することを特徴とする情報記録装置。
【請求項２】
前記日時算出手段は、前記情報記録媒体の残容量が所定量に達する予定の日時を算出することができない場合、時間的に最後に実行される予約記録の日時を前記通知手段に出力するように構成され、
前記通知手段は、前記日時算出手段から供給された時間的に最後に実行される予約記録の日時を通知するように構成されることを特徴とする請求項１記載の情報記録装置。
【請求項３】
前記日時算出手段は、日時を算出するための条件となる前記情報記録媒体の残容量を設定させるための設定手段を備え、前記情報記録媒体の残容量が前記設定手段で設定された所定量に達する予定の日時を算出するように構成されることを特徴とする請求項１記載の情報記録装置。
【請求項４】
前記通知手段は、前記記録予約情報の設定時に日時の通知を行なうように構成されることを特徴とする請求項１記載の情報記録装置。
【請求項５】
前記通知手段は、前記記録予約情報のリスト表示時に日時の通知を行なうように構成されることを特徴とする請求項１記載の情報記録装置。
【請求項６】
前記通知手段は、前記情報記録媒体の残量表示時に日時の通知を行なうように構成されることを特徴とする請求項１記載の情報記録装置。
【請求項７】
前記通知手段は、前記情報記録媒体の再生時に日時の通知を行なうように構成されることを特徴とする請求項１記載の情報記録装置。
【請求項８】
前記通知手段は、前記日時算出手段で算出された日時が所定期間より先である場合、日時の通知を行なわないように構成されることを特徴とする請求項１記載の情報記録装置。
【請求項９】
前記日時算出手段は、どの記録予約番組から前記情報記録媒体の残容量が所定量になるかを判定するように構成され、
前記通知手段は、前記日時算出手段で判定された記録予約番組を通知するように構成されることを特徴とする請求項１記載の情報記録装置。
【請求項１０】
前記日時算出手段は、前記情報記録媒体の残容量が所定量に達するまでの期間を算出するように構成され、
前記通知手段は、前記日時算出手段で算出された期間を通知するように構成されることを特徴とする請求項１記載の情報記録装置。
【請求項１１】
情報記録媒体の残容量を算出する残量算出工程と、
設定された記録予約情報に基づいて前記情報記録媒体で消費される容量を算出する消費容量算出工程と、
前記残量算出工程で算出された残容量と前記消費容量算出工程で算出された消費容量とに基づいて、前記情報記録媒体の残容量が所定量に達する予定の日時を算出する日時算出工程と、
前記日時算出工程で算出された日時を通知する通知工程とを具備することを特徴とする情報記録方法。
【請求項１２】
前記日時算出工程は、前記情報記録媒体の残容量が所定量に達する予定の日時を算出することができない場合、時間的に最後に実行される予約記録の日時を出力し、
前記通知工程は、前記日時算出工程で出力された予約記録の日時を通知することを特徴とする請求項１１記載の情報記録方法。
【発明の詳細な説明】
【技術分野】
【０００１】
この発明は、例えばテレビジョン放送番組等を予約記録する機能を有する情報記録装置及び情報記録方法の改良に関する。
【背景技術】
【０００２】
周知のように、例えばＨＤＤ（hard disk drive）やＤＶＤ（digital versatile disk）等の大容量情報記録媒体を使用して放送番組の記録予約を可能とする記録再生装置にあっては、長期間に亘って多数の番組の記録予約が可能であることから、その情報記録媒体の残容量管理を工夫することが、使い勝手を左右する上で重要なこととなっている。
【０００３】
特許文献１には、予約録画実行時点でハードディスクの残容量と当該予約録画に必要な容量とを比較し、容量不足と判定されたとき警告を発生する構成が開示されている。しかしながら、この特許文献１では、予約録画実行時点で警告が発せられるため、ユーザに対処するための時間的余裕がなく取り扱いの不便なものとなっている。
【特許文献１】特開２００３−３３９８２公報
【発明の開示】
【発明が解決しようとする課題】
【０００４】
そこで、この発明は上記事情を考慮してなされたもので、情報記録媒体の残容量が予め設定された容量に達する日時を表示することにより、ユーザに残容量不足に対処するための十分な時間的余裕を与えることができ、ユーザにとっての取り扱いを便利にし得るようにした情報記録装置及び情報記録方法を提供することを目的とする。
【課題を解決するための手段】
【０００５】
この発明に係る情報記録装置は、情報記録媒体の残容量を算出する残量算出手段と、設定された記録予約情報に基づいて情報記録媒体で消費される容量を算出する消費容量算出手段と、残量算出手段で算出された残容量と消費容量算出手段で算出された消費容量とに基づいて、情報記録媒体の残容量が所定量に達する予定の日時を算出する日時算出手段と、日時算出手段で算出された日時を通知する通知手段とを備えるようにしたものである。
【０００６】
また、この発明に係る情報記録方法は、情報記録媒体の残容量を算出する残量算出工程と、設定された記録予約情報に基づいて情報記録媒体で消費される容量を算出する消費容量算出工程と、残量算出工程で算出された残容量と消費容量算出工程で算出された消費容量とに基づいて、情報記録媒体の残容量が所定量に達する予定の日時を算出する日時算出工程と、日時算出工程で算出された日時を通知する通知工程とを備えるようにしたものである。
【発明の効果】
【０００７】
上記した発明によれば、情報記録媒体の残容量が予め設定された容量に達する日時を表示するようにしたので、ユーザに残容量不足に対処するための十分な時間的余裕を与えることができ、ユーザにとっての取り扱いを便利にすることができる。
【発明を実施するための最良の形態】
【０００８】
以下、この発明の実施の形態について図面を参照して詳細に説明する。図１は、この実施の形態で説明する記録再生装置の概要を示している。図１に示す記録再生装置は、情報記録媒体として、ＤＶＤ等の光ディスクとハードディスクとの双方を取り扱うことができる装置として示しているが、情報記録媒体としては、例えば半導体メモリ等に置換されてもよいものである。
【０００９】
図１において、各ブロックを大きく分けると、左側には記録部の主なブロックを示し、右側には再生部の主なブロックを示している。
【００１０】
図１に示す記録再生装置は、ディスクドライブ部１００２とＨＤＤ部２００１との２種類のディスクドライブ部を有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系等を有する。また、ＨＤＤ部２００１は、第２のメディアとしてのハードディスク２００２を駆動する。
【００１１】
データプロセッサ部１００３は、ディスクドライブ部１００２及びＨＤＤ部２００１に記録データを供給することができ、また、再生された信号を受け取ることができる。データプロセッサ部１００３は、記録または再生単位のデータを取り扱うもので、バッファ回路、変調・復調回路、エラー訂正回路等を含んでいる。
【００１２】
また、図１に示す記録再生装置は、記録側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１３】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１４】
エンコーダ部５０からのエンコード出力は、バッファメモリ５２を含むフォーマッタ５１にて所定のＤＶＤ−ＲＡＭ（random access memory）のフォーマットに変換され、先のデータプロセッサ部１００３に供給される。なお、トランスポートストリームから抽出したパケットエレメンタリーストリームが、エンコーダ部５０から直接ＨＤＤ部２００１のハードディスク２００２に記録される場合もある。
【００１５】
エンコーダ部５０には、スイッチ５３を介して、Ａ／Ｖ（audio／video）入力部４１ａから得られる外部アナログビデオ信号と外部アナログオーディオ信号とを入力することができる。
【００１６】
また、エンコーダ部５０には、スイッチ５３を介して、地上波アナログチューナ４１ｂ、地上波デジタルチューナ４１ｃ、衛星ＢＳ（broadcasting satellite）／ＣＳ（communication satellite）チューナ４１ｄ、衛星アナログチューナ４１ｅからの受信信号を選択的に入力することができる。
【００１７】
そして、エンコーダ部５０で複数のエンコーダが活用される場合、地上波デジタルチューナ４１ｃで受信した番組をＨＤＤ部２００１でハードディスク２００２に記録し、同時に、衛星ＢＳ／ＣＳチューナ４１ｄで受信した番組を視聴することも可能である。
【００１８】
なお、エンコーダ部５０は、圧縮されたデジタルビデオ信号やデジタルオーディオ信号が直接入力されるときは、その圧縮デジタルビデオ信号やデジタルオーディオ信号を直接フォーマッタ５１に供給することもできる。また、エンコーダ部５０は、アナログデジタル変換されたデジタルビデオ信号やオーディオ信号を、Ｖ（video）ミキシング部７１やオーディオセレクタ７６に直接供給することもできる。
【００１９】
エンコーダ部５０に含まれるＭＰＥＧ（moving picture experts group）ビデオエンコーダでは、デジタルビデオ信号はＭＰＥＧ２またはＭＰＥＧ１規格に基づいた可変ビットレートで圧縮されたデジタルビデオ信号に変換される。
【００２０】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００２１】
副映像信号がＡ／Ｖ入力部４１ａから入力された場合（例えば副映像信号の独立出力端子付ＤＶＤビデオプレーヤからの信号等）、または、このようなデータ構成のＤＶＤビデオ信号が放送されて、それが図示しないＴＶ（television）チューナ部で受信された場合は、ＤＶＤビデオ信号中の副映像信号が副映像エンコーダでエンコード（ランレングス符号化）されて副映像のビットマップとなる。
【００２２】
エンコードされたデジタルビデオ信号、デジタルオーディオ信号、副映像データは、フォーマッタ５１にてパック化され、ビデオパック、オーディオパック、副映像パックとなり、さらに、これらが集合されて、ＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ５１は、上記の変換処理のときに、バッファメモリ５２も利用している。
【００２３】
図１に示す記録再生装置は、フォーマッタ５１でフォーマット化された情報（ビデオ、オーディオ、副映像データ等のパック）及び作成された管理情報を、データプロセッサ部１００３を介してＨＤＤ部２００１またはディスクドライブ部１００２に供給し、ハードディスク２００２または光ディスク１００１に記録することができる。
【００２４】
また、ハードディスク２００２または光ディスク１００１に記録された情報を、データプロセッサ部１００３及びディスクドライブ部１００２を用いて、光ディスク１００１またはハードディスク２００２に記録することもできる。
【００２５】
さらに、ハードディスク２００２または光ディスク１００１に記録されている複数番組のビデオオブジェクトを、一部削除したり、異なる番組のオブジェクトをつなげたり、といった編集処理を行なうこともできる。
【００２６】
マイクロコンピュータブロック３０は、ＭＰＵ（micro processor unit）３１［またはＣＰＵ（central processing unit）］と、ＭＰＵ３１が実行する制御プログラム等が書き込まれたＲＯＭ（read only memory）３２と、プログラム実行に必要なワークエリアを提供するためのＲＡＭ３３と、各種の制御情報や設定情報等を格納するための不揮発性メモリ３４とを含んでいる。
【００２７】
マイクロコンピュータブロック３０は、ネットワークＩ／Ｆ（interface）３０ａを介して、外部ネットワークに接続することが可能である。これにより、外部のサーバから電子番組案内情報（ＤＥＰＧ：dynamic electronic program guide）を取り込むことも可能である。
【００２８】
さらに、マイクロコンピュータブロック３０のＭＰＵ３１は、ＲＯＭ３２に格納された制御プログラムに基づいて、ＲＡＭ３２をワークエリアとして用いて、欠陥場所検出、未記録領域検出、記録情報記録位置設定、ＵＤＦ（universal disk format）記録、ＡＶアドレス設定等を実行する。
【００２９】
また、マイクロコンピュータブロック３０は、記録再生装置の各ブロックを統括して制御するために必要な各種の情報処理部を有する。この情報処理部としては、ワーク用のＲＡＭ３３の他に、図示しないが、ディレクトリ検出部３２、ＶＭＧ（video manager）情報（全体のビデオ管理情報）作成部、コピー関連情報検知部、コピー及びスクランブリング情報（ＲＤＩ）処理部、パケットヘッダ処理部、シーケンスヘッダ処理部、アスペクト比情報処理部等がある。
【００３０】
さらに、マイクロコンピュータブロック３０には、番組予約記録制御部３５、ＧＵＩ（graphical user interface）画面制御部３６及びＨＤＤ部２００１のハードディスク２００２に対する残容量を管理する残量管理部３７が設けられている。
【００３１】
このうち、番組予約記録制御部３５は、番組の記録予約の設定やその記録予約に基づいて番組の記録動作を制御するものである。番組の記録予約は、記録したい番組毎に、その放送（記録）日、開始時間及び終了時間、放送チャンネル、記録先、圧縮符号化モード等の記録予約情報を入力するための記録予約設定画面を、モニターディスプレイ３００１に表示させ、その画面上で所定の項目を入力することにより行なわれる。入力された記録予約情報は、不揮発性メモリ３４に格納されることにより登録される。そして、不揮発性メモリ３４に格納された記録予約情報に基づいて、番組の開始時間になると自動的に記録動作が行なわれる。
【００３２】
マイクロコンピュータブロック３０の実行結果のうち、ユーザに通知すべき内容は、記録再生装置の表示部４３に表示されるか、または、モニターディスプレイ３００１にＯＳＤ（on screen display）表示される。
【００３３】
また、マイクロコンピュータブロック３０は、この記録再生装置を操作するための操作信号を与えるキー操作入力部４４を有する。このキー操作入力部４４は、例えば記録再生装置の本体上に設けた操作スイッチ類や、後述するリモートコントローラ２０等に相当する。また、記録再生装置と有線通信または無線通信（光通信や赤外線通信等を含む）等の手段を用いて接続されたＰＣ（personal computer）であってもよい。いずれの形態であっても、ユーザがこのキー操作入力部４４を操作することにより、入力された映像音声信号の記録処理や、記録されたコンテンツの再生処理、または記録されたコンテンツに対する編集処理等を施すことができる。
【００３４】
なお、マイクロコンピュータブロック３０が、ディスクドライブ部１００２、ＨＤＤ部２００１、データプロセッサ部１００３、エンコーダ部５０及び／またはデコーダ部６０等を制御するタイミングは、ＳＴＣ（system time clock）３８からの時間データに基づいて実行することができる。記録や再生の動作は、通常はＳＴＣ３８からのタイムクロックに同期して実行されるが、それ以外の処理はＳＴＣ３８とは独立したタイミングで実行されてもよい。
【００３５】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰ（sub picture）デコーダと、セパレータで分離されたオーディオデータ（オーディオパックの内容）をデコードするＡ（audio）デコーダとを有する。また、デコードされた主映像にデコードされた副映像を適宜合成し、主映像にメニュー、ハイライトボタン、字幕やその他の副映像を重ねて出力するビデオプロセッサを備えている。
【００３６】
デコーダ部６０の出力ビデオ信号は、Ｖミキシング部７１に入力される。Ｖミキシング部７１では、例えばテキストデータの合成が行なわれる。また、Ｖミキシング部７１には、上記ＴＶチューナ部やＡ／Ｖ入力部４１aからの信号を直接取り込むラインも接続されている。Ｖミキシング部７１には、バッファとして用いるフレームメモリ部７２が接続されている。Ｖミキシング部７１の出力がアナログ出力の場合はＩ／Ｆ７３を介して外部出力され、デジタル出力の場合はデジタルアナログ変換器７４を介して外部へ出力される。
【００３７】
デコーダ部６０の出力オーディオ信号は、オーディオセレクタ７６を介してデジタルアナログ変換器７７でアナログ変換され外部に出力される。オーディオセレクタ７６は、マイクロコンピュータブロック３０からのセレクト信号により制御される。これにより、オーディオセレクタ７６は、上記ＴＶチューナ部やＡ／Ｖ入力部４１aからのデジタル信号を直接モニタするとき、エンコーダ部５０をスルーしたオーディオ信号を直接選択することも可能である。
【００３８】
なお、エンコーダ部５０のフォーマッタ５１では、記録中、各切り分け情報を作成し、定期的にマイクロコンピュータブロック３０のＭＰＵ３１に送っている［ＧＯＰ（group of picture）先頭割り込み時等の情報］。切り分け情報としては、ＶＯＢＵ（video object unit）のパック数、ＶＯＢＵ先頭からのI（intra）ピクチャのエンドアドレス、ＶＯＢＵの再生時間等である。
【００３９】
同時に、図示しない上記アスペクト比情報処理部からの情報が記録開始時にＭＰＵ３１に送られ、ＭＰＵ３１はＶＯＢ（video object）ストリーム情報（ＳＴＩ：stream information）を作成する。ここでＳＴＩは、解像度データ、アスペクトデータ等を保存し、再生時に、各デコーダ部ではこの情報を元に初期設定が行なわれる。
【００４０】
また、この記録再生装置では、ＤＶＤに記録するビデオファイルは１ディスクに１ファイルとしている。さらに、データをアクセス（シーク）している間に、途切れないで再生を続けるために、最低限連続する情報単位（サイズ）を決めている。この単位は、ＣＤＡ（contiguous data area）と称される。ＣＤＡサイズは、ＥＣＣ（error correcting code）ブロック（１６セクタ）の倍数であり、ファイルシステムではこのＣＤＡ単位で記録を行なっている。
【００４１】
データプロセッサ部１００３は、エンコーダ部５０のフォーマッタ５１からＶＯＢＵ単位のデータを受け取り、ＣＤＡ単位のデータをディスクドライブ部１００２あるいはＨＤＤ部２００１に供給している。
【００４２】
また、マイクロコンピュータブロック３０のＭＰＵ３１は、記録したデータを再生するのに必要な管理情報を作成し、データ記録終了のコマンドを認識すると、作成した管理情報をデータプロセッサ部１００３に送る。これにより、管理情報が光ディスク１００１またはハードディスク２００２に記録される。このため、エンコードが行なわれているとき、マイクロコンピュータブロック３０のＭＰＵ３１は、エンコーダ部５０からデータ単位の情報（切り分け情報等など）を受け取る。
【００４３】
さらに、マイクロコンピュータブロック３０のＭＰＵ３１は、記録開始時に、光ディスク１００１及びハードディスク２００２から読み取った管理情報（ファイルシステム）を認識して、各ディスクの未記録エリアを認識することにより、データプロセッサ部１００３を介してデータの記録エリアをディスクに設定している。
【００４４】
図２には、上記リモートコントローラ２０の外観を示している。主な操作キーを説明すると、符号２０ａは、電源をオンオフするための電源キーであり、符号２０ｂは、トップメニュー画面を表示させるためのトップメニューキーである。また、メニューキー２０ｃは、例えばＤＶＤ等の情報記録媒体に記録されているメニューを表示させるときに操作する操作キーである。さらに、符号２０ＤＥは、決定キーであり、符号２０ＵＰ，２０ＤＷ，２０Ｒ，２０Ｌは、画面に表示されたカーソルをそれぞれ上、下、右、左に移動させるためのカーソル操作キーである。また、ハードディスク２００２の残容量を表示させるための残量表示キー２０ｄが設置されている。
【００４５】
次に、上記マイクロコンピュータブロック３０の残量管理部３７に関する特徴的な処理動作について、図３に示すフローチャートを参照して説明する。なお、この処理動作では、記録予約された多数の番組が、ＨＤＤ部２００１のハードディスク２００２に順次記録されるものとして説明する。
【００４６】
まず、所定のタイミングで処理動作が開始（ステップＳ１）されると、マイクロコンピュータブロック３０は、ステップＳ２で、現状におけるハードディスク２００２の記録可能な残容量を算出する。
【００４７】
次に、マイクロコンピュータブロック３０は、ステップＳ３で、不揮発性メモリ３４に格納されている記録予約情報に基づいて、記録予約されている番組毎に消費するハードディスク２００２の容量を算出する。
【００４８】
その後、マイクロコンピュータブロック３０は、ステップＳ４で、ハードディスク２００２の記録可能な残容量から、例えば時間的に最初に予約記録が実行される番組で消費されるハードディスク２００２の容量を減算し、ステップＳ５で、消費容量がハードディスク２００２の残容量を超えるか否かを判別する。
【００４９】
そして、消費容量が残容量を超えると判断された場合（ＹＥＳ）、マイクロコンピュータブロック３０は、ステップＳ６で、消費容量がハードディスク２００２の残容量を超える日時、つまり、ハードディスク２００２の残容量が０%となる日時を算出し、その日時をモニターディスプレイ３００１に表示させることによりユーザに通知した後、処理を終了（ステップＳ９）する。
【００５０】
また、上記ステップＳ５で、消費容量がハードディスク２００２の残容量を超えないと判断された場合（ＮＯ）、マイクロコンピュータブロック３０は、ステップＳ７で、不揮発性メモリ３４に格納されている全ての記録予約情報に対して、その番組の予約記録で消費される容量をハードディスク２００２の残容量から減算する処理が完了したか否かを判別する。
【００５１】
そして、完了していないと判断された場合（ＮＯ）、マイクロコンピュータブロック３０は、ステップＳ４の処理に戻り、先に、消費容量の減算されたハードディスク２００２の残容量から、時間的に次に予約記録が実行される番組で消費される容量をさらに減算するように制御する。
【００５２】
また、上記ステップＳ７で、減算処理が完了したと判断された場合（ＹＥＳ）、マイクロコンピュータブロック３０は、ステップＳ８で、時間的に最後に予約記録が実行される日時と、その時点でのハードディスク２００２の残容量とをモニターディスプレイ３００１に表示させることによりユーザに通知して、処理を終了（ステップＳ９）する。
【００５３】
上記した実施の形態によれば、記録予約情報に基づいてハードディスク２００２の残容量が０％になる日時を表示させるようにしている。このため、ユーザは、いつまでに、ハードディスク２００２に記録されているデータを他の情報記録媒体（例えば光ディスク１００１等）に移動させたり、削除したりすることを行なえばよいかを前もって認識することができる。すなわち、ユーザに残容量不足に対処するための十分な時間的余裕を与えることができるようになり、ユーザにとっての取り扱いを便利にすることができる。
【００５４】
特に、定期的に放送される番組を記録予約するために、特定の時間帯に対して「毎日」または「毎週」といったモード設定をしたような場合は、記録予約の確認を怠ることが多く、いつのまにかハードディスク２００２の容量をオーバーしてデータが上書きされてしまったということがある。
【００５５】
このような場合にも、予めハードディスク２００２の容量をオーバーする日時が分かっていれば、ハードディスク２００２上のデータの処理を、容量をオーバーする日時までに行なうことが可能となる。このように、ハードディスク２００２の残容量が０％になる予定の日時を表示することにより、ユーザが記録再生装置を使用する上で、ハードディスク２００２上のデータの管理（保存、移動、削除）をし易くすることができる。
【００５６】
ここで、上記のように、ハードディスク２００２の残容量が０％になる予定の日時を算出して表示するタイミングについて説明する。このタイミングとしては、例えば新規に記録予約情報を設定（追加）する時点、設定された記録予約情報のリストを表示する時点、ハードディスク２００２の残容量を表示させる時点、等が考えられる。
【００５７】
図４は、記録予約情報設定を行なうための記録予約設定画面の一例を示している。この記録予約設定画面は、リモートコントローラ２０のトップメニューキー２０ｂを操作してトップメニューを表示させ、そのトップメニューから階層構造となされた各種のメニュー画面に分け入ることにより表示される。
【００５８】
この記録予約設定画面には、記録予約する番組の放送（記録）日、開始時間及び終了時間、放送チャンネル、記録先、圧縮符号化モード等の記録予約情報を入力するための各種項目４ａ〜４ｆが表示されるとともに、ハードディスク２００２の残容量が０％になる予定の日時を通知する項目４ｇが表示される。項目４ｆによる日時の通知内容としては、例えば「平成○○年○○月○○日○○時にハードディスクの残容量が０％になります」等である。
【００５９】
この場合、記録予約設定画面で記録予約情報を入力中は、それ以前に不揮発性メモリ３４に格納されている記録予約情報に基づいて算出された日時が表示され、入力された記録予約情報が不揮発性メモリ３４に格納された、つまり、正規の記録予約情報として新規登録（追加）された場合に、再度、日時の算出が行なわれて表示される。
【００６０】
図５は、不揮発性メモリ３４に格納された記録予約情報のリスト画面の一例を示している。この記録予約リスト画面も、リモートコントローラ２０のトップメニューキー２０ｂを操作してトップメニューを表示させ、そのトップメニューから階層構造となされた各種のメニュー画面に分け入ることにより表示される。
【００６１】
この記録予約リスト画面には、複数（図示の場合は４つ）の記録予約情報を示す項目５ａ〜５ｄが表示されるとともに、ハードディスク２００２の残容量が０％になる予定の日時を通知する項目５ｅが表示される。この項目５ｅによる日時の通知内容としては、例えば「平成○○年○○月○○日○○時にハードディスクの残容量が０％になります」等である。なお、この記録予約リスト画面では、リモートコントローラ２０のカーソル操作キー２０ＵＰ，２０ＤＷを操作することにより上下方向にスクロールさせて、表示されていない部分の記録予約情報を見ることができる。
【００６２】
図６は、ハードディスク２００２の残容量を表示する残容量表示画面の一例を示している。この残容量表示画面は、上記したリモートコントローラ２０の残量表示キー２０ｄを操作することにより表示される。
【００６３】
この残容量表示画面には、残容量をバイト単位で示す項目６ａ及び残容量を記録時間に換算して示す項目６ｂが表示されるとともに、ハードディスク２００２の残容量が０％になる予定の日時を通知する項目６ｃが表示される。この項目６ｃによる日時の通知内容としては、例えば「平成○○年○○月○○日○○時にハードディスクの残容量が０％になります」等である。
【００６４】
ここで、上記した実施の形態では、ハードディスク２００２の残容量が０％になる予定の日時を算出して通知することについて説明したが、これに限らず、例えばハードディスク２００２の残容量が予め設定された所定量になる予定の日時を算出して通知するようにしても良いものである。この場合、予定日時を算出するための条件となるハードディスク２００２の残容量は、ユーザが任意に設定可能とすることができる。
【００６５】
図７は、予定日時を算出するための条件となるハードディスク２００２の残容量を設定する残容量設定画面の一例を示している。この残容量設定画面は、リモートコントローラ２０のトップメニューキー２０ｂを操作してトップメニューを表示させ、そのトップメニューから階層構造となされた各種のメニュー画面に分け入ることにより表示される。
【００６６】
この残容量設定画面には、予定日時を算出するための条件となるハードディスク２００２の残容量を％で入力するための項目７ａが表示され、その項目７ａに入力された数値ａａに対して「記録予約により残容量がａａ％になる予定日時が通知されます」という表示が行なわれて、ユーザに数値を入力することの意味を説明している。
【００６７】
そして、この残容量設定画面において、残容量を例えば３０％と設定した場合には、図４乃至図６に示した日時の通知内容は、「平成○○年○○月○○日○○時にハードディスクの残容量が３０％になります」と変更される。なお、この残容量設定画面で設定された残容量は、不揮発性メモリ３４に格納される。
【００６８】
なお、不揮発性メモリ３４に格納されている記録予約情報に変更や削除があったり、ハードディスク２００２に記録されているデータが削除されて残容量が変化したりした場合には、その都度、日時の計算をし直して表示するようにしてもよいものである。
【００６９】
また、例えば、ユーザがマニュアル操作によって番組の記録や記録時間のタイムシフト等を行なった場合には、記録予約情報は変化しないので、算出される予定日時にずれが生じてくる。そこで、例えば、番組の記録動作が終了した時点や、数時間単位で定期的に、ハードディスク２００２の残容量と記録予約情報とに基づいて予定日時を算出し表示するようにしてもよいものである。
【００７０】
また、ハードディスク２００２の残容量と記録予約情報とに基づいて、ハードディスク２００２の残容量が所定量になる予定日時を算出し表示する際、どの記録予約番組からハードディスク２００２の残容量が所定量になるか、つまり、どの記録予約番組から記録できなくなるかを判定することができるので、その記録予約番組も予定日時とともに表示させるようにすれば、ユーザが対処する際に便利となる。
【００７１】
ここで、記録予約の種類としては、１週間単位で放送される同じシリーズ番組を記録予約する週間予約と、毎日放送される同じシリーズ番組を記録予約する毎日予約と、特定の番組に対して１回だけ記録予約するＥＰＧ予約と、週間予約、毎日予約及びＥＰＧ予約が混在する予約とが考えられる。
【００７２】
また、ハードディスク２００２の残容量が所定量になる予定日時を表示するタイミングとしては、前述した記録予約設定時、記録予約リスト表示時及び残容量表示時の他に、記録動作中に消費容量の増加に基づいて随時予定日時を算出して表示すること、再生時に現在登録されている記録予約情報に基づいて予定日時を算出して表示すること、画面上に予定日時を表示するためのウィンドウを設けて常時予定日時を表示すること、等が考えられる。
【００７３】
さらに、ハードディスク２００２の残容量が所定量（０％、３０％等）になる予定日時を算出して表示する他に、ハードディスク２００２の残容量が所定量に達するまでの期間や記録可能な番組数等を算出して表示することも考えられる。例えば、ハードディスク２００２の残容量が所定量に達するまでに、あと何％であるとか、あと何日であるとか、あと番組をいくつ記録することができるとかの情報を算出して表示することができる。
【００７４】
また、ハードディスク２００２の残容量が所定量になる予定日時が、所定期間より先である場合には表示しないように設定することもできる。例えば、ハードディスク２００２の残容量が所定量になる予定日時が、６ヶ月以上先の場合には、予定日時を表示しないようにすることができる。この場合、予定日時に達するまでの期間は、３ヶ月以上先、１ヶ月以上先、または１週間以上先のようにユーザが設定することも可能である。
【００７５】
さらに、予定日時の表示方法としては、文字情報による表示、専用パネルによる表示、色別表示（予定日時が明日の場合は赤色で日時を表示、予定日時が３日後の場合は黄色で日時表示、予定日時が１週間以上先の場合は青色で日時表示）、ユーザのＰＣや携帯電話等にメールで予定日時を通知するようにすることが考えられる。
【００７６】
ここで、上記した実施の形態では、番組をハードディスク２００２に記録することについて説明したが、これに限らず、この記録再生装置は、光ディスク１００１に番組を記録したり、外部のネットワークに接続された記録機器を指定して番組の記録を行なわせたりすることも可能である。そして、このような場合にも、情報記録媒体の残容量が所定量になる予定日時を算出して表示させることができることはもちろんである。
【００７７】
なお、この発明は上記した実施の形態そのままに限定されるものではなく、実施段階ではその要旨を逸脱しない範囲で構成要素を種々変形して具体化することができる。すなわち、図１に示したような、ＨＤＤ内蔵のＤＶＤレコーダだけでなく、図８に示すモバイルテレビジョン受信機や、図９に示す大画面タイプのテレビジョン受信機の他、音声情報のみの記録再生装置等にも広く使用することができる。
【００７８】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７９】
【図１】この発明の実施の形態を示すもので、記録再生装置を説明するために示すブロック構成図。
【図２】同実施の形態における記録再生装置を制御するリモートコントローラを説明するために示す図。
【図３】同実施の形態における記録再生装置が行なう主要な処理動作を説明するために示すフローチャート。
【図４】同実施の形態における記録再生装置によって表示される記録予約設定画面の一例を説明するために示す図。
【図５】同実施の形態における記録再生装置によって表示される記録予約リスト画面の一例を説明するために示す図。
【図６】同実施の形態における記録再生装置によって表示される残容量表示画面の一例を説明するために示す図。
【図７】同実施の形態における記録再生装置によって表示される残容量設定画面の一例を説明するために示す図。
【図８】この発明が適用可能なモバイルテレビジョン受信機の外観を説明するために示す図。
【図９】この発明が適用可能な大画面タイプのテレビジョン受信機の外観を説明するために示す図。
【符号の説明】
【００８０】
２０…リモートコントローラ、３０…マイクロコンピュータブロック、３０ａ…ネットワークＩ／Ｆ、３１…ＭＰＵ、３２…ＲＯＭ、３３…ＲＡＭ、３４…不揮発性メモリ、３５…番組予約記録制御部、３６…ＧＵＩ画面制御部、３７…残量管理部、３８…ＳＴＣ、４１ａ…Ａ／Ｖ入力部、４１ｂ…地上波アナログチューナ、４１ｃ…地上波デジタルチューナ、４１ｄ…衛星ＢＳ／ＣＳチューナ、４１ｅ…衛星アナログチューナ、４３…表示部、４４…キー操作入力部、５０…エンコーダ部、５１…フォーマッタ、５２…バッファメモリ、５３…スイッチ、６０…デコーダ部、７１…Ｖミキシング部、７２…フレームメモリ部、７４…デジタルアナログ変換器、７６…オーディオセレクタ、７７…デジタルアナログ変換器、１００１…光ディスク、１００２…ディスクドライブ部、１００３…データプロセッサ部、２００１…ＨＤＤ部、２００２…ハードディスク、３００１…モニターディスプレイ。
【図１】
2007124547.tif 000003
【図２】
2007124547.tif 000004
【図３】
2007124547.tif 000005
【図４】
2007124547.tif 000006
【図５】
2007124547.tif 000007
【図６】
2007124547.tif 000008
【図７】
2007124547.tif 000009
【図８】
2007124547.tif 000010
【図９】
2007124547.tif 000011